(57)【要約】【課題】木材と補強金属板とを手間を掛けずに固定することができる木造トラス部材及びその製造方法を提供する。【解決手段】木材を固定するためのボルト３ａが挿通されるボルト孔２ａを有する補強金属板２の両端にトラス構造の継手に連結する連結部材３の連結板７を面一に接合して木材支持金属板１が形成され、連結板７の表面及び裏面に木材４の木口を押さえる押さえ板６が垂直に設けられ、押さえ板６に木材４の端部上面を覆うとともに、木材に木ねじ８をねじ込んで固定するための木ねじ挿通孔を有する覆い板５が一体に設けられ、覆い板５の木ねじ挿通孔５ａを通して木ねじ８をねじ込んで木材４が木材支持金属板１に固定され、一方の木材４と他方の木材４とが木材支持金属板１を挟む状態でボルト締め付けにより一体化されている木造トラス部材。【選択図】図１
2006283330.tif 000002
【特許請求の範囲】
【請求項１】
木材を固定するためのボルトが挿通されるボルト孔を有する補強金属板の両端にトラス構造の継手に連結する連結部材の連結板を面一に接合して木材支持金属板が形成され、前記連結板の表面及び裏面にはそれぞれ、前記木材の木口を押さえる押さえ板が立設され、押さえ板に前記木材の端部上面を覆うとともに木材に木ねじをねじ込んで固定するための木ねじ挿通孔を有する覆い板が一体に設けられ、覆い板の木ねじ挿通孔を通して木ねじをねじ込んで木材が木材支持金属板に支持され、一方の木材と他方の木材とが木材支持金属板を挟む状態に合わせられてボルト締め付けにより一体化されていることを特徴とする木造トラス部材。
【請求項２】
連結板の端部に、トラス構造の継手の固定板に重なるように連結板に直交する方向に接合板が固定され、接合板に固定板のボルト孔に合致する位置にボルト孔が形成され、さらに接合板にトラス構造の継手に取り付けられるキャップに嵌合するように固定板に対して垂直になるように接合棒が固定されされていることを特徴とする請求項１記載の木造トラス部材。
【請求項３】
連結板の表面及び裏面にそれぞれ、木材の木口を押さえる押さえ板が垂直に立設され、押さえ板に木材の端部上面を覆うとともに木材に木ねじをねじ込んで固定するための木ねじ挿通孔を有する覆い板が一体に設けられた連結部材を、木材を固定するためのボルトが挿通されるボルト孔を有する補強金属板の両端に面一に接合して木材支持金属板を形成し、
木材支持金属板の表面に一方の木材を支持し、支持された木材を覆い板の木ねじ挿通孔を通して木ねじをねじ込んで木材支持金属板に固定し、
木材支持金属板のボルト孔にドリルを通して木材支持金属板に前記木ねじで固定された木材にボルト孔を設け、
一方の木材が固定された木材支持金属板の裏面に他方の木材を支持し、支持された木材を覆い板の木ねじ挿通孔を通して木ねじをねじ込んで木材支持金属板に固定し、
一方の木材に形成したボルト孔と木材支持金属板のボルト孔を通して木材支持金属板に固定された他方の木材にボルト孔を設け、
木材に形成されたボルト孔と木材支持金属板のボルト孔にボルトを通してボルト締め付けにより一方の木材と他方の木材とが木材支持金属板を挟む状態に一体化することを特徴とする木造トラス部材の製造方法。
【発明の詳細な説明】
【技術分野】
【０００１】
本発明は、トラスの組立に使用する木材を利用した木造トラス部材及びその製造方法に関するものである。
【背景技術】
【０００２】
体育館、ホール、ドームなどの屋根の骨組みや梁には、図５に示すように下弦材４０、上弦材４１および斜材４２のトラス部材を継手４３に結合して構成したトラス構造が利用されている（特許文献１参照）。
【０００３】
トラス部材には金属製パイプが多く使用されているが、体育館などの建築物に、金属パイプにはない木材の持つ自然感、暖かみ等の特性を生かすために木材を利用した木造トラス部材が利用されている。木造トラス部材として、特許文献２には、丸太材の木口の外周部に継手部材に連結する連結部材を木ねじで固定した丸太材製トラス構造材が開示されている。
【０００４】
また、特許文献２には、金属板の両面に木材をサンドイッチ状に重ねてボルト締めした構造材が開示されている。
【特許文献１】特許第２９８９９２８号公報
【特許文献２】特開２００３−７４１２５号公報
【発明の開示】
【発明が解決しようとする課題】
【０００５】
特許文献１の丸太材製トラス部材は丸太材をそのまま使用するので、丸太材の強度しか得られず、大きい強度が得られないという欠点がある。
【０００６】
また、特許文献２では、木材と金属板の双方にボルトを通す孔が一致するように正確に設けなくてはならないので寸法取りに手間がかかり、またボルト締めの際に木材と金属板の芯合わせにも手間がかかるという欠点がある。
【０００７】
そこで本発明は、木材と補強金属板とを手間を掛けずに加工できるとともに、手間を掛けずにボルト締めすることができる木造トラス部材及びその製造方法を提供するものである。
【課題を解決するための手段】
【０００８】
本発明の木造トラス部材は、木材を固定するためのボルトが挿通されるボルト孔を有する補強金属板の両端にトラス構造の継手に連結する連結部材の連結板を面一に接合して木材支持金属板が形成され、前記連結板の表面及び裏面にはそれぞれ、前記木材の木口を押さえる押さえ板が立設され、押さえ板に前記木材の端部上面を覆うとともに木材に木ねじをねじ込んで固定するための木ねじ挿通孔を有する覆い板が一体に設けられ、覆い板の木ねじ挿通孔を通して木ねじをねじ込んで木材が木材支持金属板に支持され、一方の木材と他方の木材とが木材支持金属板を挟む状態に合わせられてボルト締め付けにより一体化されていることを特徴とする。
【０００９】
本発明の木造トラス部材の製造方法は、連結板の表面及び裏面にそれぞれ、木材の木口を押さえる押さえ板が垂直に立設され、押さえ板に木材の端部上面を覆うとともに木材に木ねじをねじ込んで固定するための木ねじ挿通孔を有する覆い板が一体に設けられた連結部材を、木材を固定するためのボルトが挿通されるボルト孔を有する補強金属板の両端に面一に接合して木材支持金属板を形成し、木材支持金属板の表面に一方の木材を支持し、支持された木材を覆い板の木ねじ挿通孔を通して木ねじをねじ込んで木材支持金属板に固定し、木材支持金属板のボルト孔にドリルを通して木材支持金属板に前記木ねじで固定された木材にボルト孔を設け、一方の木材が固定された木材支持金属板の裏面に他方の木材を支持し、支持された木材を覆い板の木ねじ挿通孔を通して木ねじをねじ込んで木材支持金属板に固定し、一方の木材に形成したボルト孔と木材支持金属板のボルト孔を通して木材支持金属板に固定された他方の木材にボルト孔を設け、木材に形成されたボルト孔と木材支持金属板のボルト孔にボルトを通してボルト締め付けにより一方の木材と他方の木材とが木材支持金属板を挟む状態に一体化することを特徴とする
【発明の効果】
【００１０】
本発明は、ボルト締めする前に木ねじで予め木材を木材支持金属板に固定するので、木材と木材支持金属板を容易に位置決めすることができ、さらに木材支持金属板に予め設けられたボルト孔を利用して寸法取りすることなく木材にボルト孔を容易に形成することができる。
【００１１】
また、ボルト締めの際、ボルト孔を形成した木材が木材支持金属板に木ねじで固定され、木材のボルト孔と木材支持金属板のボルト孔が芯合わせされているため、ボルト孔へのボルトの挿通が簡単にできるので、ボルト締めを容易に行うことができる。
【発明を実施するための最良の形態】
【００１２】
本発明の実施例について図面を参照しながら説明する。
【実施例１】
【００１３】
図１（ａ）は本発明の木造トラス部材の断面図、（ｂ）は平面図、（ｃ）は斜視図である。本実施例は上弦材あるいは下弦材に適用した例である。
【００１４】
補強金属板２の両端にそれぞれトラス構造の継手に連結する連結部材３を突き合わせ溶接で面一に水平に接合して木材支持金属板１を形成し、この木材支持金属板１に木材４を固定し支持し、一方の木材４と他方の木材４とが木材支持金属板１を挟む状態でボルト３ａで締め付けて一体化することにより木造トラス部材が得られる。なお、補強金属板２には長手方向に木材４を固定するボルト３ａを通すボルト孔２ｂが間隔をおいて形成されている。
【００１５】
連結部材３は、補強金属板２に面一に水平に接合される連結板７の表面及び裏面にそれぞれ、木材４の木口を押さえる押さえ板６が垂直に接合され、押さえ板６に木材４の端部上面を覆う覆い板５が一体に設けられている。
【００１６】
連結部材３の覆い板５には、木材４に木ねじ８をねじ込むために木ねじ挿通孔５ａが木材４の幅方向に間隔をおいて一対形成されている。
【００１７】
連結板７の継手側の端部には、トラス構造の継手に結合するために、ネジ付のボルト孔９ａを有する接合板９が設けられている。
【００１８】
本実施例の木造トラス部材の組立方法について説明する。図２は本発明のトラス部材の組立方法を示す工程図である。
【００１９】
図２（ａ）に示すように、補強金属板２の両端に連結部材３を突き合わせ溶接で水平に接続して木材支持金属板１を作製する。
【００２０】
図２（ｂ）に示すように、木材支持金属板１の表側に一方の木材４を支持するため、横方向から木材４を両端の連結部材３の覆い板５、押さえ板６及び連結板７で囲まれる空間に入れて位置決めした後、連結部材３の覆い板５の木ねじ挿通孔５ａに木ねじ８をねじ込んで木材４を木材支持金属板１固定、支持する。ボルト締めする前に木ねじ８で予め木材４を木材支持金属板１に固定するので、木材４と木材支持金属板１を容易に固定位置決めすることができる。
【００２１】
木材４を木材支持金属板１に固定した後、補強金属板２に予め形成されているボルト孔２ａにドリルを通して木材４にボルト３ａを通すボルト孔４ａを貫通させる。木材支持金属板１に予め設けられたボルト孔２ａを利用して、木材支持金属板１に固定されている木材４にボルト孔４ａを形成するので、寸法取りすることなく木材支持金属板１のボルト孔２ａと木材４のボルト孔４ａを容易に一致させて形成することができる。
【００２２】
次いで、図２（ｃ）に示すように、木材支持金属板１の裏側に他方の木材４を支持するため、前述の表側の工程と同様に、横方向から木材４を両端の連結部材３の覆い板５、押さえ板６及び連結板７で囲まれる空間に入れて位置決めした後、連結部材３の覆い板５の木ねじ挿通孔５ａに木ねじ８をねじ込んで木材４を木材支持金属板１固定して支持する。  
【００２３】
次いで、予め形成されている表側の木材４のボルト孔４ａと木材支持金属板１のボルト孔２ａにドリルを通して木材４にボルト３ａを通すボルト孔４ａを貫通させる。予め形成されている表側の木材４のボルト孔４ａと木材支持金属板１のボルト孔２ａを利用して、裏側の木材４にボルト孔４ａを形成するので、寸法取りが不要となる。
【００２４】
次いで、図２（ｄ）に示すように、ボルト３ａを挿通してボルト締めにより木材支持金属板１を挟んで木材を一体化して木造トラス部材を形成する。
【実施例２】
【００２５】
図３（ａ）は本発明の木造トラス部材の断面図、（ｂ）は平面図、（ｃ）は斜視図である。本実施例は斜材に適用した例である。
【００２６】
斜材となる木造トラス部材は、実施例１の上弦材あるいは下弦材と同様に、補強金属板２の両端にそれぞれトラス構造の継手に連結する連結部材３を突き合わせ溶接で面一に且つ水平に接合して木材支持金属板１を形成し、木材支持金属板１に木材４を保持し、木材４と木材４が木材支持金属板１を挟む状態にしてボルト３ａの締め付けにより一体化されて形成されている。
【００２７】
連結部材３は、木材４の上面を覆う覆い板５と、この覆い板５から木材４の木口側に９０度曲げられた、木口を押さえる押さえ板６が連結板７に垂直に接合される。押さえ板６と連結板７との間は補強のために支持板９が設けられる。
【００２８】
連結部材３の覆い板５には、木材に木ねじ８をねじ込むために木ねじ挿通孔５ａが木材の幅方向に間隔をおいて一対形成されている。
【００２９】
連結板７の継手側の端部には、トラス構造の継手に接合するために、ボルト孔１０ａが形成された接合板１０と接合棒１１が固定されている。接合板１０は、トラス構造の継手の固定板１２（図４）に重なるように、連結板７に直交する方向に固定され、固定板１２のボルト孔に合致する位置にボルト孔１０ａが形成される。接合棒１１はトラス構造の継手に取り付けられるキャップ１５（図４）に嵌合するように固定板１２に対して垂直になるように接合板に固定される。
【００３０】
本実施例のトラス部材の組立方法は、実施例１と同じ工程により木材４のボルト孔４ａおよび木材支持金属板１のボルト孔２ａにボルト３ａを挿通してボルト締めにより一体化して木造トラス部材を形成する。
【００３１】
図３は本実施例の斜材と実施例１の上弦材を継手に連結した状態を示す図である。
【００３２】
トラス構造の継手は、固定板１２と固定板１２の中心を通るボルト１３とボルト１３にナット１４で固定されるキャップ１５で形成される。
【００３３】
固定板１２の中心にボルト１３を通し、上弦材となる実施例１に示すトラス部材の支持板９のネジ付ボルト孔９ａに固定用のボルト１６を通してボルト１３に押し付けて固定する。
【００３４】
次いで、斜材となる本実施例のトラス部材の接合板１０と固定板１２とをボルト１７により固定する。接合板１０と固定板１２との固定が完了した後、連結棒１１の下側にキャップ１５を被せ、ナット１４を螺合させてキャップ１５を連結棒１１側に締め付けて連結を終了する。
【図面の簡単な説明】
【００３５】
【図１】（ａ）は本発明の木造トラス部材の断面図、（ｂ）は平面図、（ｃ）は斜視図である。
【図２】本発明のトラス部材の組立方法を示す工程図である。
【図３】（ａ）は本発明の木造トラス部材の断面図、（ｂ）は平面図、（ｃ）は斜視図である。
【図４】本発明のトラス部材を継手に連結した状態を示す図である。
【図５】トラス部材を継手に接合して構成したトラス構造の一例を示す図である。
【符号の説明】
【００３６】
１：木材支持金属板    ２：補強金属板
２ａ：ボルト孔        ３：連結部材          
４：木材              ４ａ：ボルト孔
５：覆い板            ５ａ：木ねじ挿通孔
６：押さえ板          ７：連結板
８：木ねじ            ９：支持板  
１０：接合板          １１：連結棒
１２：固定板          １３：ボルト
１４：ナット          １５：キャップ
１６：固定用のボルト  ４０：上弦材  
４１：下弦材          ４２：斜材
４３：継手
【図１】
2006283330.tif 000003
【図２】
2006283330.tif 000004
【図３】
2006283330.tif 000005
【図４】
2006283330.tif 000006
【図５】
2006283330.tif 000007